(57)【要約】【課題】特別な施設を増設することなく簡易な手順で、球根植物の増殖率を大幅に高める。【解決手段】球根植物の球根１から萌芽した芽２を、球根１に接する芽２の基部または同基部の上部近傍を含む状態で、摘み取って又は折り取って又は切り取って採取し、採取した芽２を、挿し芽または仮植または定植し、その後、肥大した球根１ｄを分球することで増殖を行なう。さらに、元の球根１も定植し、その後、肥大した球根１ａを分球することで増殖を行なう。【選択図】図１
2014054228.tif 000002
【特許請求の範囲】
【請求項１】
球根植物を増殖栽培する方法であって、
前記球根植物の球根から萌芽した芽を、前記球根に接する前記芽の基部または同基部の上部近傍を含む状態で、摘み取って又は折り取って又は切り取って採取し、
採取した前記芽を、挿し芽または仮植または定植することを特徴とする、球根植物の増殖栽培方法。
【請求項２】
採取した前記芽が根付きの芽である場合、当該芽を、仮植または定植することを特徴とする、請求項１に記載の球根植物の増殖栽培方法。
【請求項３】
採取した前記芽が根の付いていない芽または折り取った芽または切り取った芽である場合、当該芽の挿し芽を行なって発根させた後、
発根した当該芽を、仮植または定植することを特徴とする、請求項１に記載の球根植物の増殖栽培方法。
【請求項４】
前記芽が定植され生育開花した後に肥大した球根の分球を行なうことを特徴とする、請求項１〜請求項３のいずれか一項に記載の球根植物の増殖栽培方法。
【請求項５】
前記芽を採取した後の元の球根を定植し、前記元の球根が生育開花した後に肥大した球根の分球を行なうことを特徴とする、請求項１〜請求項４のいずれか一項に記載の球根植物の増殖栽培方法。
【請求項６】
前記球根は、茎頂培養によって増殖した前記球根植物の苗を定植し生育開花後に肥大した球根であることを特徴とする、請求項１〜請求項５のいずれか１項に記載の球根植物の増殖栽培方法。
【請求項７】
前記球根は、種子から得た前記球根植物の苗を定植し生育開花後に肥大した球根であることを特徴とする、請求項１〜請求項５のいずれか１項に記載の球根植物の増殖栽培方法。
【請求項８】
前記球根は、親球根を定植し生育開花後に肥大した子球根であることを特徴とする、請求項１〜請求項５のいずれか１項に記載の球根植物の増殖栽培方法。
【請求項９】
前記分球によって得られた子球根から萌芽した芽を、前記子球根に接する前記芽の基部または同基部の上部近傍を含む状態で、摘み取って又は折り取って又は切り取って採取し、
採取した前記芽を、挿し芽または仮植または定植することを特徴とする、請求項４または請求項５に記載の球根植物の増殖栽培方法。
【発明の詳細な説明】
【技術分野】
【０００１】
本発明は、球根植物、特にラナンキュラスなどのキンポウゲ科球根植物を増殖栽培する方法に関する。
【背景技術】
【０００２】
ラナンキュラス (Ranunculus asiaticus L.)は、和名をハナキンポウゲといい、アネモネやデルフィニウムが属するキンポウゲ科の花きであり、冬から春にかけて鑑賞される。球根植物であるラナンキュラスは、これまで主に鉢物花きとして利用されてきたが、近年は我が国において切り花向けの品種改良が進んだ結果、その花色の豊富さと花のボリューム感から切り花としての需要が急増している。
【０００３】
このように需要が急増しているラナンキュラスを増殖栽培する従来の方法について、以下に説明する。なお、ラナンキュラスの球根は、根が養分を蓄えて肥大した塊根であり、以下の説明において「球根」のことを「塊根」という場合がある。
ラナンキュラスを増殖栽培する具体的な従来の方法としては、現在、以下に説明する３つの方法（１）〜（４）が挙げられる。
【０００４】
（１）分球法：  まず、図４（ａ）〜（ｅ）を参照しながら、最も一般的に行なわれている増殖法である分球法と、１つの球根（元球根／親球根）１の定植から分球を行なうまでの、ラナンキュラスの一般的な生育過程とについて説明する。図４（ａ）に示すように球根１を定植すると、図４（ｂ）に示すように、球根１から芽２が萌芽し、芽２の基部から新根３が発根する。その後、図４（ｃ）に示すように生育開花した後に、図４（ｄ）に示すように、新しく萌芽した芽２に付いた根３が肥大し、親球根１の横や上部に新しい球根１ａが重なっていく。このように新しい球根１ａが重なった状態の球根１を乾燥させることにより、図４（ｅ）に示すように、少しずつ分球することができ、親球根の大きさにもよるが、通常、１個の球根１から４個程度の新たな球根１ａを得ることができる。
【０００５】
（２）実生繁殖法：  図１の最上段に示すように、１年目には、種子４を蒔き（播種）、蒔いた種子４が生育開花した後に肥大した球根１を分球する。１年目は、最初に球根を持たないため株の力が球根からの株に比べ劣り、あまり分球せず、図１では、球根１が１個だけ得られた例が示されている。２年目には、図４を参照しながら上述した分球法で増殖する。つまり、１年目に得られた球根１を定植し、定植した球根１が生育開花した後に肥大した球根１ａを分球する。２年目は、通常、１個の球根１つまり一粒の種子４から４個程度の球根１，１ａを分球することができるため、２年目の時点での増殖率は、種子数×４倍程度となる。
【０００６】
（３）メリクロン繁殖法：  図１の上から２番目の段に示すように、１年目には、株をメリクロン（茎頂培養）技術によって増殖し、増殖したメリクロン苗５を定植し、定植したメリクロン苗５が生育開花した後に肥大した球根１を分球する。１年目は、球根を持たないため株の力が球根からの株に比べ劣り、あまり分球せず、図１では、球根１が１個だけ得られた例が示されている。ただし、１年目に得られる球根１においては、１０個中１個の割合で２個の球根１が肥大する場合があり、このような場合を考慮すると、１年目の時点での増殖率は１．１倍となる。２年目には、図４を参照しながら上述した分球法で増殖する。つまり、１年目に得られた球根１を定植し、定植した球根１が生育開花した後に肥大した球根１ａを分球する。２年目は、通常、１個の球根１から４個程度の球根１，１ａを分球することができるため、２年目の時点での増殖率は１．１×４＝４．４倍程度となる。
【０００７】
（４）催芽分割法：  図１の上から３番目の段に示すように、１年目は、実生繁殖法，メリクロン繁殖法もしくは分球法により球根を得る。なお、図１ではメリクロン繁殖法により１年目の球根を得る例が示されている。そして、催芽分割法（特許文献１参照）では、１年目に得られた球根１を萌芽させ、球根１を分割する。このとき、芽の出た部分については一芽ごとに球根１の一部を付けた状態で分割する。また、芽の出ていない部分については、球根１の一部を、芽の出る部分（不定芽の部分）を付けた状態で分割する。図１では、一つの球根１を５個の球根１ｂに分割した例が示されている。分割球根１ｂは、浅箱やプラントベッドに植え付けられ、芽が大きく生長するのを１ヶ月程度待ってから、２年目の定植を行なう。定植後、分割球根１ｂが生育開花した後に肥大した球根１ｃを分球するが、分割された球根１ｂでは、あまり分球せず、図１では、球根１ｂから２個の球根１ｃが分球された例が示されている。
【先行技術文献】
【特許文献】
【０００８】
【特許文献１】特開昭５５−１９０２５号公報
【発明の概要】
【発明が解決しようとする課題】
【０００９】
上述した実生繁殖法では、種子から増殖を行なうため大量に増殖することができるが、ラナンキュラスは他殖性の植物であるため、色や形など形質がばらばらになってしまうなどの課題がある。
【００１０】
上述したメリクロン繁殖法では、メリクロン技術を用いることでウイルスフリーの植物体を作ることができるとともに、揃った形質の球根を増殖することができるが、２年目の球根の増殖率は４．４倍程度で球根単価が高いといった課題がある。
【００１１】
上述した催芽分割法では、球根の分割数に依っては増殖率を高めることが可能であるが、球根をカットして分割するため、球根が傷付き病害や腐敗が発生する可能性が高く、増殖率の低下を招くおそれがある。また、球根をカットするのに手間がかかるほか、分割球根から芽が大きく生長するのを待つため球根の分割から定植までに長期間（１ヶ月程度）を要するなどの課題もある。
【００１２】
本発明は、このような状況に鑑み創案されたもので、特別な施設を増設することなく簡易な手順で、球根植物の増殖率を大幅に高めることを目的とする。
【課題を解決するための手段】
【００１３】
上記目的を達成するために、本発明の球根植物の増殖栽培方法は、球根植物の球根から萌芽した芽を、前記球根に接する前記芽の基部または同基部の上部近傍を含む状態で、摘み取って又は折り取って又は切り取って採取し、採取した前記芽を、挿し芽または仮植または定植することを特徴している。
【００１４】
このとき、採取した前記芽が根付きの芽である場合、当該芽を、直ちに仮植または定植し、採取した前記芽が根の付いていない芽または切り取った芽である場合、当該芽の挿し芽を行なって発根させた後、発根した当該芽を、仮植または定植してもよい。そして、前記芽が定植され生育開花した後に肥大した球根の分球を行なう。
【００１５】
また、前記芽を採取した後の元の球根を定植し、前記元の球根が生育開花した後に肥大した球根の分球を行なってもよい。
【発明の効果】
【００１６】
本発明の増殖栽培方法によれば、球根から萌芽した芽が、球根に接する芽の基部または同基部の上部近傍を含む状態で採取され、採取した芽が、挿し芽または仮植または定植される。このとき、一つの球根から複数本の芽を得ることが可能で、各芽を定植することで各芽ごとに複数の球根が得られる。したがって、特別な施設を増設することなく簡易な手順で、増殖率を大幅に高めることができ、球根単価を大幅に下げることができる。
【００１７】
このとき、球根から萌芽した芽を採取する（摘み取る）だけで球根本体をカットすることがないので、作業に手間がかからないだけでなく、球根を傷付けて病害や腐敗を発生させることがなく増殖率の低下を招くこともない。
【００１８】
また、採取した芽が根の付いていない芽または折り取った芽または切り取った芽である場合、挿し芽により発根させた芽を仮植または定植するので、種子から生育させた場合と同様、確実に生育開花させ球根の分球を行なうことが可能になる。
【００１９】
さらに、芽を採取した後の元の球根を定植することで、元の球根からも複数の球根が得られるので、増殖率をさらに高めることができ、球根単価をさらに下げることができる。
【００２０】
また、茎頂培養によって増殖した苗を定植し生育開花後に肥大した球根や、ウイルス感染のおそれのない施設で栽培・肥大した球根を親球根として用いることで、ウイルスフリーの植物体を作ることができるのでウイルス病の感染の問題が解消されるとともに、揃った形質の球根を増殖することができる。
【００２１】
さらに、種子から増殖した球根もウイルス感染のおそれは低いため、種子から増殖した１年目の球根を用いることによってもウイルス病の感染の問題が解消されるとともに、元の種子は上述したように種子ごとの形質はばらつくが、特定の種子からの株を選抜し増殖する際は、元の種子と同一の形質の球根を、従来の分球法よりも高い増殖率で増殖することができる。
【図面の簡単な説明】
【００２２】
【図１】本発明の一実施形態としての球根植物（ラナンキュラス）の増殖栽培方法の手順と、従来のラナンキュラスの増殖栽培方法とを対比して示す図である。
【図２】（ａ）は、本実施形態のラナンキュラスの増殖栽培方法における、球根から萌芽した芽の採取の仕方を説明する図、（ｂ）〜（ｄ）は採取した芽の状態を示す図である。
【図３】（ａ）〜（ｉ）は、本実施形態のラナンキュラスの増殖栽培方法における、球根から採取された芽に対する処置を説明する図である。
【図４】（ａ）〜（ｅ）は、分球法と、ラナンキュラスの１つの球根の定植から分球を行なうまでのラナンキュラスの一般的な生育過程とを説明する図である。
【発明を実施するための最良の形態】
【００２３】
以下、図面を参照して本発明の実施の形態を説明する。
図１最下段の（ａ）〜（ｔ）と図２（ａ）〜（ｄ）と図３（ａ）〜（ｉ）とを参照しながら、本発明の一実施形態としての球根植物の増殖栽培方法の手順について説明する。なお、本実施形態では、球根植物として、キンポウゲ科球根植物であるラナンキュラスを増殖栽培する場合について説明する。
【００２４】
図１最下段の（ａ）〜（ｔ）は、それぞれ本実施形態のラナンキュラスの増殖栽培方法の手順を示す。図２（ａ）は、本実施形態のラナンキュラスの増殖栽培方法における、球根１から萌芽した芽２の採取の仕方を説明する図、図２（ｂ）〜（ｄ）は採取した芽２の状態（それぞれ根付き，根なし，切除）を示す図である。図３（ａ）〜（ｉ）は、本実施形態のラナンキュラスの増殖栽培方法における、球根１から採取された芽２に対する処置［それぞれ図１最下段の（ｄ）〜（ｌ）に対応］を説明する図である。
【００２５】
１年目は、実生繁殖法（図１最上段参照），メリクロン繁殖法（図１の上から２番目の段参照）もしくは分球法（図４参照）により球根１を得る。図１では、メリクロン繁殖法により１年目の球根を得る例［図１最下段の（ａ）〜（ｃ）参照］が示されており、あまり分球せず、図１では、球根１が１個だけ得られた例が示されている。ただし、１年目に得られる球根１においては、１０個中１個の割合で２個の球根１が肥大する場合があり、このような場合を考慮すると、１年目の時点での増殖率は１．１倍となる。
【００２６】
本実施形態の方法では、１年目に得られた球根１を萌芽させる［図１最下段の（ｄ）参照］。球根１から芽２が萌芽すると、その後、図２（ａ）や図３（ａ）に示すように、芽２の基部２ａから新根３が発根する。
【００２７】
そして、図２（ａ）〜（ｄ）や図３（ａ），（ｂ），（ｄ），（ｇ）に示すように、球根１から萌芽して伸長した芽２を、球根１に接する芽２の基部２ａまたは同基部２ａの上部近傍２ｂを含む状態で摘み取って又は折り取って又は切り取って採取する［図１最下段の（ｅ），（ｇ），（ｊ）参照］。なお、芽２の基部２ａの上部近傍２ｂは、好ましくは、基部２ａから上部（芽２の先端）の方向へ、数mm程度あるいは５〜１０mm程度の範囲の部分［図２（ａ）の斜線を付した部分参照］である。
【００２８】
採取した（摘み取った又は折り取った又は切り取った）芽２には、以下の３種類（１）〜（３）が含まれる。
（１）図２（ｂ）や図３（ｂ）に示す、根付きの芽２１［図１最下段の（ｅ）参照］。根付きの芽２１では、芽２が、新根３の付いた状態で、球根１に接する芽２の基部２ａから摘み取られている。
【００２９】
（２）図２（ｃ）や図３（ｄ）に示す、根なしの芽２２［図１最下段の（ｇ）参照］。根なしの芽２２では、芽２が、新根３の付いていない状態で、球根１に接する芽２の基部２ａから摘み取られている。
【００３０】
（３）図２（ｄ）や図３（ｇ）に示す、切除された芽２３［図１最下段の（ｊ）参照］。切除の芽２３では、図２（ｄ）に示すように、芽２が、芽２の基部２ａの近傍２ｂにおいて折り取られ、または、切り取られており、もちろん新根３は付いていない。
【００３１】
上述のごとく採取された芽２のうち根付きの芽２１については、図３（ｃ）に示すように、一旦、ポット等に鉢上げ（仮植）してから［図１最下段の（ｆ）参照］、２年目の定植を行なう［図１最下段の（ｍ）参照］。なお、根付きの芽２１については、鉢上げ（仮植）を行なうことなく、２年目の定植を行なってもよい。
【００３２】
また、採取された芽２のうち根なしの芽２２については、図３（ｅ）に示すように、挿し芽を行ない［図１最下段の（ｈ）参照］、図３（ｆ）に示すように、芽２２に発根させ［図１最下段の（ｉ）参照］、発根した芽２２をポット等に鉢上げ（仮植）してから［図１最下段の（ｆ）参照］、２年目の定植を行なう［図１最下段の（ｍ）参照］。なお、発根した芽２２については、鉢上げ（仮植）を行なうことなく、２年目の定植を行なってもよい。
【００３３】
さらに、採取された芽２のうち切除された芽２３については、根なしの芽２２と同様、図３（ｈ）に示すように、挿し芽を行ない［図１最下段の（ｋ）参照］、図３（ｉ）に示すように、芽２３に発根させ［図１最下段の（ｌ）参照］、発根した芽２３をポット等に鉢上げ（仮植）してから［図１最下段の（ｆ）参照］、２年目の定植を行なう［図１最下段の（ｍ）参照］。なお、発根した芽２３については、鉢上げ（仮植）を行なうことなく、２年目の定植を行なってもよい。
【００３４】
上述のようにして、萌芽した芽を採取し、得られた苗（芽２）が定植される［図１最下段の（ｍ）参照］。このとき、一つの球根１からは、少なくとも４本程度の芽２が得られるが、本実施形態では、平均的に６本の芽が得られ定植されるものとする。
【００３５】
６本の芽２の定植後、各芽２が生育開花した後に肥大した球根１ｄを分球するが［図１最下段の（ｎ）〜（ｐ）参照］、採取した芽２から得られた株は球根を持たないため球根からの株に比べ株の力が劣り、得られた球根は、あまり分球せず、図１では、２個の球根１ｄが分球された例が示されている。したがって、図１に示す本実施形態の例では、１個の元球根１から、６本の芽２が得られ、各芽２について２個の球根１ｄが得られることから、採取した芽２を定植することによる増殖率は６本×２個＝１２倍程度となる。
【００３６】
一方、２年目においては、６本の芽２の定植と並行して、芽２を採取した後の元の球根１も定植する［図１最下段の（ｄ），（ｑ）参照］。そして、定植した元の球根１が生育開花した後に肥大した球根１ａを分球法により分球する［図１最下段の（ｒ）〜（ｔ）参照］。２年目は、前述したように、通常、１個の球根１から４個程度の球根１，１ａを分球することができるため、元の球根１を定植することによる増殖率は４倍程度となる。
【００３７】
したがって、図１に示す本実施形態のラナンキュラスの増殖栽培方法による、２年目の時点での増殖率は１．１×（１２＋４）＝１７．６倍程度となる。
３年目以降は、前年の増殖（分球）によって得られた球根１，１ａ，１ｄのそれぞれについて、図１最下段の手順（ｄ）〜（ｔ）を繰り返し行なうことで、ｎ年目（ｎは２以上の自然数）での増殖率は、計算上、１７．６×１６(n-2)倍程度となる。
【００３８】
このように、本実施形態のラナンキュラスの増殖栽培方法によれば、球根１から萌芽した芽２が、球根１に接する芽２の基部２ａおよび同基部２ａの近傍２ｂを含む状態で採取され、採取した芽２が、挿し芽／仮植または定植される。このとき、一つの球根１から複数本（本実施形態では６本）の芽２を得ることが可能で、各芽２を定植することで各芽２ごとに複数（本実施形態では２個）の球根が得られ、２年目の増殖率は、メリクロン苗５から増殖を行なった場合、１．１×１２＝１３．２倍程度となる。したがって、特別な施設を増設することなく簡易な手順で、増殖率を大幅に高めることができ、球根単価を大幅に下げることができる。
【００３９】
このとき、球根１から萌芽した芽２を採取する（摘み取る又は切除する）だけで球根１の本体をカットすることがないので、催芽分割法に比べ、作業に手間がかからないだけでなく、球根１を傷付けて病害や腐敗を発生させることがなく増殖率の低下を招くこともない。
【００４０】
また、採取した芽２が根付きの場合は芽２をそのまま仮植または定植させ、根３の付いていない芽または折り取った芽または切り取った芽である場合、挿し芽により発根させた芽２を仮植または定植するので、確実に採取した芽２を生育開花させ球根の分球を行なうことが可能になる。
【００４１】
さらに、摘み取った芽２の定植と並行して、芽２を採取した後の元の球根１を定植することで、元の球根１からも複数（本実施形態では４個程度）の球根１，１ａが得られるので、増殖率をさらに高めることができ、球根単価をさらに下げることができる。上述したように、元の球根１を定植した場合の２年目の増殖率は１．１×４＝４．４倍程度であり、採取した芽２を定植した場合の２年目の増殖率１３．２倍程度と併せると、本実施形態の方法による２年目の増殖率は、１７．６倍程度となる。なお、ここまで示してきた増殖率は、代表的な作型である秋定植の場合について述べたものであり、作型や元球根の大きさによって増減する場合もあり得る。
【００４２】
また、メリクロン（茎頂培養）技術によって増殖したメリクロン苗５を定植し生育開花後に肥大した球根１や、ウイルス感染のおそれのない施設で栽培・肥大した球根１を親球根として用いることで、ウイルスフリーの植物体を作ることができるのでウイルス病の感染の問題が解消されるとともに、揃った形質の球根１，１ａ，１ｄを増殖することができる。
【００４３】
さらに、催芽分割法では、図１の上から３段目の中央欄の作業において、分割球根から芽が大きく生長するのを待つため球根の分割から定植までに１ヶ月程度の長期間を要している。また、太った分割球根はさらに分割を行なうため、作業が長時間に及ぶばかりでなく、芽の大きさが揃わない。これに対し、本実施形態の方法において、図１最下段の手順（ｄ）〜（ｌ）に要する期間は２週間程度で済み、得られる苗の大きさのばらつきも少ないため、従来の催芽分割法に比べ大幅に作業期間を短縮することもできる。
【００４４】
また、種子４から増殖した球根もウイルス感染のおそれは低いため、種子４から増殖した１年目の球根１を用いることによってもウイルス病の感染の問題が解消されるとともに、元の種子４は上述したように種子ごとの形質はばらつくが、特定の種子からの株を選抜し増殖する際は、元の種子４と同一の形質の球根１，１ａ，１ｄを、従来の分球法よりも高い増殖率で増殖することができる。
【００４５】
なお、本発明は上述した実施形態に限定されるものではなく、本発明の趣旨を逸脱しない範囲で種々変形して実施することができる。
例えば、上述した実施形態では、球根植物がキンポウゲ科球根植物であり、キンポウゲ科球根植物がラナンキュラスである場合について説明したが、本発明は、これに限定されるものではなく、球根植物であれば、同様に適用され、上述した実施形態と同様の作用効果を得ることができる。
【符号の説明】
【００４６】
１  球根（塊根，元球根，親球根）
１ａ，１ｃ，１ｄ  新しい球根
１ｂ  分割球根
２  芽
２ａ  芽の基部
２ｂ  芽の基部の上部近傍
２１  根付きの芽
２２  根なしの芽
２３  切除された芽（折り取った芽，切り取った芽）
４  種子
５  メリクロン苗
【図１】
2014054228.tif 000003
【図２】
2014054228.tif 000004
【図３】
2014054228.tif 000005
【図４】
2014054228.tif 000006
【手続補正書】
【提出日】平成25年12月20日(2013.12.20)
【手続補正１】
【補正対象書類名】特許請求の範囲
【補正対象項目名】請求項１
【補正方法】変更
【補正の内容】
【請求項１】
球根植物を増殖栽培する方法であって、
前記球根植物の球根から萌芽した芽を、前記球根に接する前記芽の基部または同基部よりも前記芽の先端側の基部近傍において、前記球根の本体を含まないように、摘み取って又は折り取って又は切り取って採取し、
採取した前記芽を、挿し芽または仮植または定植することを特徴とする、球根植物の増殖栽培方法。
【手続補正２】
【補正対象書類名】明細書
【補正対象項目名】００１３
【補正方法】変更
【補正の内容】
【００１３】
上記目的を達成するために、本発明の球根植物の増殖栽培方法は、球根植物の球根から萌芽した芽を、前記球根に接する前記芽の基部または同基部よりも前記芽の先端側の基部近傍において、前記球根の本体を含まないように、摘み取って又は折り取って又は切り取って採取し、採取した前記芽を、挿し芽または仮植または定植することを特徴している。
【手続補正３】
【補正対象書類名】明細書
【補正対象項目名】００１６
【補正方法】変更
【補正の内容】
【００１６】
本発明の増殖栽培方法によれば、球根から萌芽した芽が、球根に接する芽の基部または同基部よりも前記芽の先端側の基部近傍において、前記球根の本体を含まないように採取され、採取した芽が、挿し芽または仮植または定植される。このとき、一つの球根から複数本の芽を得ることが可能で、各芽を定植することで各芽ごとに複数の球根が得られる。したがって、特別な施設を増設することなく簡易な手順で、増殖率を大幅に高めることができ、球根単価を大幅に下げることができる。